(57)【要約】【課題】空気吹出口の側方に位置する側壁部に形成するワイヤーガードを取付けるための取付穴を、左右ルーバに形成された挿通穴と同一直線上に形成できない場合であっても、取付用部材を用いることなくワイヤーガードを取付ける。【解決手段】複数の左右ルーバ４と左右ルーバ４に形成された複数の挿通穴５に挿通されて左右方向に延出する複数のワイヤーガード６、７、８とを空気吹出口２に設けた空気調和機の室内機において、少なくとも一部のワイヤーガード８は、直線状に延出した直線部８ａとこの直線部８ａの一端側に位置してクランク状に屈曲した第１屈曲部８ｂと第２屈曲部８ｃとを有し、空気吹出口２の側壁部３ａに第２屈曲部８ｂを挿通可能な取付穴１１が形成され、第２屈曲部８ｃを取付穴１１に挿通させた場合に直線部８ａが挿通穴５と同一直線上に位置する位置でワイヤーガード８を保持する保持凸部１２が側壁部３ａに形成されている。【選択図】    図３
2010071589.tif 000002
【特許請求の範囲】
【請求項１】
熱交換器と送風機とが室内機本体内に収納され、前記室内機本体の下部に形成された空気吹出口に吹出空気の風向きを左右方向に調節する複数の左右ルーバが配置され、前記左右ルーバに形成された複数の挿通穴に挿通されて左右方向に延出する複数のワイヤーガードが設けられ、前記ワイヤーガードの両端が前記空気吹出口の両側の側壁部に保持された空気調和機の室内機において、
少なくとも一部の前記ワイヤーガードは、直線状に延出した直線部とこの直線部の一端側に位置してクランク状に屈曲した第１屈曲部と第２屈曲部とを有し、
一方の前記側壁部に、前記第２屈曲部を挿通可能な取付穴が形成され、
一方の前記側壁部に、前記第２屈曲部を前記取付穴に挿通させた場合に前記直線部が前記挿通穴と同一直線上に位置する位置で前記ワイヤーガードを保持する保持凸部が形成され、
ていることを特徴とする空気調和機の室内機。
【請求項２】
前記取付穴は、前記保持凸部に接離する方向に延出した長穴部と、この長穴部の前記保持凸部側の端部から屈曲した屈曲穴部とからなるＬ字形状に形成され、前記ワイヤーガードの前記直線部が前記保持凸部に保持される位置に位置する場合に前記第２屈曲部が前記屈曲穴部に挿通されることを特徴とする請求項１記載の空気調和機の室内機。
【請求項３】
他方の前記側壁部に、前記空気吹出口側に向けて突出し、前記ワイヤーガードの前記直線部の他端側が挿入される有底の筒部が形成されていることを特徴とする請求項１又は２記載の空気調和機の室内機。
【発明の詳細な説明】
【技術分野】
【０００１】
本発明は、空気調和機の室内機に関し、特に、空気吹出口に左右ルーバとワイヤーガードとを配置した空気調和機の室内機に関する。
【背景技術】
【０００２】
空気調和機の室内機本体内には、熱交換器と送風機とが収納されており、送風機が駆動されることにより室内の空気が室内機本体内に吸込まれ、室内機本体内に吸込まれた空気は、熱交換器により加熱され又は冷却され、温風又は冷風となって空気吹出口から室内に吹き出す。
【０００３】
室内機の空気吹出口には、空気の吹出方向を左右方向に調整する複数枚の左右ルーバと、左右ルーバの間から指や手が入って送風機に触れることを防止するワイヤーガードとが取付けられている。
【０００４】
ワイヤーガードは、空気吹出口の左右方向の両側に位置する側壁部に形成された取付穴と、左右ルーバに形成された挿通穴とに挿通させて取付けられている。
【０００５】
ワイヤーガードを取付ける場合には、側壁部に形成された取付穴と左右ルーバに形成された挿通穴とが同一直線上に位置していることが必要である。しかし、側壁部の外側に何らかの部品が位置する等の理由により、左右ルーバの挿通穴と同一直線上に位置する取付穴を側壁部に形成できない場合がある。そのような場合には、下記特許文献１に記載されたように、ワイヤーガード取付けのための取付用部材（ガード支持体）を側壁部の内側に取付け、このガード支持体を用いてワイヤーガードの取付けを行なっている。
【特許文献１】特開平１１−１１８１８８号公報
【発明の開示】
【発明が解決しようとする課題】
【０００６】
しかしながら、ワイヤーガードの取付けをガード支持体を用いて行なうと、ガード支持体が空気吹出口から吹き出す空気の障害物となり、送風効率が低下するという問題が生じる。
【０００７】
また、空気吹出口から吹き出す空気がガード支持体により乱されるという現象が生じる。空気吹出口から吹き出す空気が乱されると、室内の空気が空気吹出口内に巻き込まれる現象が生じ、冷房運転時には空気吹出口内に巻き込まれた空気中の水分が結露し、空気吹出口の側壁部近辺に露付きが発生するという問題が生じる。
【０００８】
本発明は上記課題を解決するためになされたものであり、その目的は、空気吹出口の側方に位置する側壁部に形成するワイヤーガードを取付けるための取付穴を、左右ルーバに形成された挿通穴と同一直線上に形成できない場合であっても、ワイヤーガードを取付けるための取付用部材を用いることなくワイヤーガードを取付けることができる空気調和機の室内機を提供することである。
【課題を解決するための手段】
【０００９】
本発明の実施の形態に係る特徴は、熱交換器と送風機とが室内機本体内に収納され、前記室内機本体の下部に形成された空気吹出口に吹出空気の風向きを左右方向に調節する複数の左右ルーバが配置され、前記左右ルーバに形成された複数の挿通穴に挿通されて左右方向に延出する複数のワイヤーガードが設けられ、前記ワイヤーガードの両端が前記空気吹出口の両側の側壁部に保持された空気調和機の室内機において、少なくとも一部の前記ワイヤーガードは、直線状に延出した直線部とこの直線部の一端側に位置してクランク状に屈曲した第１屈曲部と第２屈曲部とを有し、一方の前記側壁部に、前記第２屈曲部を挿通可能な取付穴が形成され、一方の前記側壁部に、前記第２屈曲部を前記取付穴に挿通させた場合に前記直線部が前記挿通穴と同一直線上に位置する位置で前記ワイヤーガードを保持する保持凸部が形成され、ていることである。
【発明の効果】
【００１０】
本発明によれば、空気吹出口の側方に位置する側壁部に形成するワイヤーガードを取付けるための取付穴を、左右ルーバに形成された挿通穴と同一直線上に形成できない場合であっても、ワイヤーガードを取付けるための取付用部材を用いることなくワイヤーガードを取付けることができる。
【発明を実施するための最良の形態】
【００１１】
以下、本発明の一実施の形態を図面を用いて説明する。
【００１２】
図１は、室内機の室内機本体１の一部を示す斜視図である。室内機本体１には、熱交換器（図示せず）や送風機（図示せず）が収容され、室内機本体１の下部には空気吹出口２が形成されている。室内機においては、送風機が駆動されることにより室内の空気が室内機本体１内に吸込まれ、吸込まれた空気は熱交換器により加熱され又は冷却され、温風又は冷風となって空気吹出口２から室内に吹き出す。
【００１３】
空気吹出口２は、室内機を室内に設置した場合に左右方向（水平方向）に細長く延出する形状に形成されており、空気吹出口２の左右方向の両側には側壁部３ａ、３ｂが設けられている。
【００１４】
空気吹出口２には、左右方向に回動して空気吹出口２から吹出す空気の風向きを左右方向に調節する複数の左右ルーバ４が設けられている。
【００１５】
個々の左右ルーバ４には、それぞれ複数の挿通穴５（図２、図３参照）が形成され、これらの挿通穴５には後述するワイヤーガードが挿通されている。ワイヤーガードは、空気吹出口２から室内機本体１内に指や手を入れることを防止するための部材であり、複数のワイヤーガードは空気吹出口２の横幅方向に沿って左右方向に延出して設けられ、その端部が側壁部３ａ、３ｂに保持されている。
【００１６】
なお、左右ルーバ４に形成された挿通穴５は、左右ルーバ４が左右方向に回動した場合でもワイヤーガードが挿通穴５の縁部に干渉しないようにするため、長穴状に形成されている。
【００１７】
以下、ワイヤーガードの形状、及び、その取付構造について説明する。複数のワイヤーガードの形状については様々な形状とすることが可能であり、本実施の形態では、３種類の形状のワイヤーガード６、７、８を使用している。
【００１８】
ワイヤーガード６はＵ字形に形成されており、ワイヤーガード７は直線状に形成されており、ワイヤーガード８は直線状に形成されるとともに一端側にクランク状に折り曲げた部分が形成されている。
【００１９】
Ｕ字形状に形成されたワイヤーガード６は、平行に位置して直線状に延出した２つの直線部６ａとこれらの直線部６ａの一端側を繋いだ繋ぎ部６ｂとを有している。２つの直線部６ａがそれぞれ、側壁部３ａに形成された丸穴状の取付穴９と、左右ルーバ４に形成された長穴状の挿通穴５と、側壁部３ｂに形成された丸穴状の取付穴１０とに挿通されている。同じ直線部６ａが挿通された取付穴９と挿通穴５と取付穴１０とは、同一直線上に位置している。
【００２０】
直線状に形成されたワイヤーガード７は、直線状に延出した直線部７ａと直線部７ａの一端側に形成された屈曲部７ｂとを有している。直線部７ａが、側壁部３ａに形成された丸穴状の取付穴９と、左右ルーバ４に形成された長穴状の挿通穴５と、側壁部３ｂに形成された丸穴状の取付穴１０とに挿通されている。直線部７ａが挿通された取付穴９と挿通穴５と取付穴１０とは、同一直線上に位置している。屈曲部７ｂは、直線部７ａが挿通された取付穴９の縁部に係合している。
【００２１】
ワイヤーガード８は、直線状に延出した直線部８ａと、この直線部８ａの一端側に位置してクランク状に屈曲した第１屈曲部８ｂと第２屈曲部８ｃとを有している。
【００２２】
側壁部３ａには、上述した取付穴９の他に、ワイヤーガード８が挿通される取付穴１１が形成されている。また、側壁部３ａにおける内側面には、略Ｖ字形に形成されて空気吹出口２側に突出した保持凸部１２が形成されている。
【００２３】
取付穴１１は、保持凸部１２に対して接離する方向に延出した長穴部１１ａと、この長穴部１１ａの保持凸部１２側の端部から略直角に屈曲した屈曲穴部１１ｂとからなるＬ字形に形成されている。
【００２４】
保持凸部１２は、ワイヤーガード８の第２屈曲部８ｃを屈曲穴部１１ｂに挿通した場合に、ワイヤーガード８の直線部８ａがこの直線部８ａが挿通される左右ルーバ４の挿通穴５と同一直線上に位置する位置でワイヤーガード８を保持する位置に形成されている。また、保持凸部１２は、空気吹出口２から室内に向けて吹出す空気の流れ方向に沿って拡開する向きに形成されている。
【００２５】
側壁部３ｂには、空気吹出口２側に向けて突出し、ワイヤーガード８の直線部８ａの他端側が挿入されるとともにこの直線部８ａの他端側が側壁部３ｂを貫通することを規制する有底の筒部１３が形成されている。
【００２６】
このような構成において、空気吹出口２に取付けられたワイヤーガード６は、直線部６ａが側壁部３ａの取付穴９と左右ルーバ４の挿通穴５と側壁部３ｂの取付穴１０とに挿通されている。直線部６ａが挿通される取付穴９と挿通穴５と取付穴１０とは同一直線上に位置しており、ワイヤーガード６の直線部６ａを側壁部３ａの外側から取付穴９に挿通し、さらに、直線部６ａを左右ルーバ４の挿通穴５と側壁部３ｂの取付穴１０とに挿通させることにより、空気吹出口２へのワイヤーガード６の取付けが行なわれている。
【００２７】
空気吹出口２に取付けられたワイヤーガード７は、直線部７ａが側壁部３ａの取付穴９と左右ルーバ４の挿通穴５と側壁部３ｂの取付穴１０とに挿通されている。直線部７ａが挿通される取付穴９と挿通穴５と取付穴１０とは同一直線上に位置しており、ワイヤーガード７の直線部７ａを側壁部３ａの外側から取付穴９に挿通し、さらに、直線部７ａを左右ルーバ４の挿通穴５と側壁部３ｂの取付穴１０とに挿通させることにより、空気吹出口２へのワイヤーガード７の取付けが行なわれている。
【００２８】
空気吹出口２に取付けられたワイヤーガード８は、第２屈曲部８ｃが取付穴１１の屈曲穴部１１ｂに挿通され、直線部８ａが左右ルーバ４の挿通穴５に挿通されるとともに直線部８ａの他端が側壁部３ｂに形成された有底の筒部１３に挿入されている。
【００２９】
ここで、側壁部３ａの外側に何らかの部品が位置する等の理由により、ワイヤーガード８を取付けるために側壁部３ａに形成する取付穴１１を、左右ルーバ４に形成された挿通穴５と同一直線上に形成できない場合がある（図５参照）。このような場合であっても、第１屈曲部８ｂと第２屈曲部８ｃとを有するワイヤーガード８を用い、第２屈曲部８ｂを取付穴１１に挿通させるとともに直線部８ａを左右ルーバ４の挿通穴５と同一直線上に位置させることにより、直線部８ａを曲げたり変形させたりすることなくワイヤーガード８の直線部８ａを挿通穴５に挿通させることができる。
【００３０】
さらに、側壁部３ｂの外側に何らかの部品が位置する等の理由により、ワイヤーガード８を取付けるための取付穴を側壁部３ｂに形成できない場合であっても、有底の筒部１３を側壁部３ｂに形成することにより、ワイヤーガード８の直線部８ａの他端側を取付けることができる。
【００３１】
また、第２屈曲部８ｃを屈曲穴部１１ｂに挿通し、及び、ワイヤーガード８を保持凸部１２で保持することにより、ワイヤーガード８が直線部８ａを左右ルーバ４の挿通穴５と同一直線上に位置させた位置から移動しにくくなり、ワイヤーガード８の取付状態を安定させることができる。
【００３２】
また、保持凸部１２は、空気吹出口２から室内に向けて吹出す空気の流れ方向に沿って拡開する向きに形成されており、空気吹出口２から室内に向けて吹出す空気が保持凸部１２によって乱されない。このため、空気吹出口２から吹出す空気が乱されることにより発生する空気吹出口２内への室内空気の巻き込みを防止することができ、空気吹出口２内への室内空気の巻き込みが原因となって発生する冷房運転時における側壁部３ａ近辺での露付きを防止することができる。
【図面の簡単な説明】
【００３３】
【図１】本発明の一実施の形態の室内機における室内機本体の一部を示す斜視図である。
【図２】空気吹出口の外側から見た空気吹出口の一端側を示す斜視図である。
【図３】空気吹出口の内側から見た空気吹出口の一端側を示す斜視図である。
【図４】空気吹出口の内側から見た空気吹出口の他端側を示す斜視図である。
【図５】左右ルーバに形成された挿通穴と側壁部に形成された取付穴と保持凸部との位置関係を示す側面図である。
【図６】クランク形状をなす第１屈曲部と第２屈曲部とが形成されたワイヤーガードを示す斜視図である。
【符号の説明】
【００３４】
１…室内機本体、２…空気吹出口、４…左右ルーバ、５…挿通穴、６、７、８…ワイヤーガード、８ａ…直線部、８ｂ…第１屈曲部、８ｃ…第２屈曲部、１１…取付穴、１１ａ…長穴部、１１ｂ…屈曲穴部、１２…保持凸部、１３…有底の筒部
【図１】
2010071589.tif 000003
【図２】
2010071589.tif 000004
【図３】
2010071589.tif 000005
【図４】
2010071589.tif 000006
【図５】
2010071589.tif 000007
【図６】
2010071589.tif 000008